(57)【要約】【課題】病室に設置される床頭台等におけるテレビの回転角度の調整が、容易に、かつ、安定した構造においてできるようにする。【解決手段】出力軸１１を略垂直方向に突出する第１ギアモータ７と、第１ギアモータ７の出力軸１１に連動して水平面位置において回転可能に設けられ、自身の出力軸１８を略水平方向に突出する第２ギアモータ１６と、第２ギアモータ１６の出力軸１８に連動して垂直面位置において回転可能に設けられるテレビ支持部２９と、第２ギアモータ１６の回転角度を規制する第１リミットスイッチ１３と、テレビ支持部２９の回転角度を規制する第２リミットスイッチ３０とからなるテレビ可動支持装置。【選択図】図２
0003127110.tif 000002
【実用新案登録請求の範囲】
【請求項１】
出力軸を略垂直方向に突出する第１ギアモータと、
前記第１ギアモータの前記出力軸に連動して水平面位置において回転可能に設けられ、自身の出力軸を略水平方向に突出する第２ギアモータと、
前記第２ギアモータの前記出力軸に連動して垂直面位置において回転可能に設けられるテレビ支持部と、
前記第２ギアモータの回転角度を規制する第１リミットスイッチと、
前記テレビ支持部の回転角度を規制する第２リミットスイッチと、
からなることを特徴とするテレビ可動支持装置。
【考案の詳細な説明】
【技術分野】
【０００１】  この考案は、病院の床頭台等において使用されるテレビ可動支持装置に関する。
【背景技術】
【０００２】  病室には床頭台が備えられ便利に用いられている。この床頭台は、例えば、上部に収納ボックスを備え、下部には冷蔵庫が納められ、中段の棚部にはテレビが置かれて使用される（図１参照）。最近では、テレビとして患者がベッド上のどの位置からでも見やすいように、上向き下向き角度、横向き角度が調整できるタイプのものが有用されている。上記の上向き下向き角度、横向き角度が調整できるためには、テレビが水平と垂直の二方向において軸支持され、かつ、適宜の角度位置で安定支持されるようにその軸支持部位に皿バネ等が使用されている。
【考案の開示】
【考案が解決しようとする課題】
【０００３】  上記のような支持構成では、使用に伴って皿バネのバネ力が低下してくると、テレビに重量があるので任意角度位置での支持が徐々に行われなくなってくる。強固な皿バネを用いると使用の初期においてスムーズにテレビが回転できない。また、身体が不自由な患者は、テレビに直接手をかけての回転操作そのものが困難であった。【０００４】  この考案では、床頭台等におけるテレビの回転角度の調整が容易に、かつ、安定した構造においてできるようにすることを目的とする。
【課題を解決するための手段】
【０００５】  この考案では、出力軸を略垂直方向に突出する第１ギアモータと、前記第１ギアモータの前記出力軸に連動して水平面位置において回転可能に設けられ、自身の出力軸を略水平方向に突出する第２ギアモータと、前記第２ギアモータの前記出力軸に連動して垂直面位置において回転可能に設けられるテレビ支持部と、前記第２ギアモータの回転角度を規制する第１リミットスイッチと、前記テレビ支持部の回転角度を規制する第２リミットスイッチと、からなることを特徴とするテレビ可動支持装置を提供する。【０００６】  このテレビ可動支持装置によれば、第１ギヤモータが作動され出力軸が回転することで第２ギヤモータは水平面位置において回転し、これにより第２ギヤモータに一体のテレビ支持部上に取り付けられたテレビが水平面位置において回転されてその横向き角度が変えられ、その際、第１リミットスイッチが作動出力することでその回転角度が所定の範囲に規制される。さらに、第２ギヤモータが作動され出力軸が回転することで支持部が垂直面方向において回転し、それに取り付けられたテレビも一体に回転されてその上向き、下向きの角度が変えられ、その際、第２リミットスイッチが作動出力することでその回転角度が所定の範囲に規制される。【０００７】  このようにして、テレビ可動支持装置によれば、テレビの上向き下向き、横向きの両角度調整がテレビに手をかけることなく行われる。
【考案の効果】
【０００８】  この考案のテレビ可動支持装置によれば、テレビの上向き下向き、横向きの両角度調整がテレビに手をかけることなく容易に行われるようになり、病室の床頭台等において非常に便利に用いられる。とくに、テレビを回転支持する軸支持部位に皿バネを用いないので、従来のようなバネ力の低下等の問題がなく、これにより、テレビの角度調整が常に安定して行われるようになる。
【考案を実施するための最良の形態】
【０００９】  図１はこの考案のテレビ可動支持装置を使用する床頭台の外観斜視図、図２はテレビ可動支持装置の分解斜視図である。【００１０】  床頭台１の中段の棚部２にテレビ３が設けられ、そのテレビ３を支持するようにテレビ可動支持装置５が設けられている。テレビ可動支持装置５は上方の一部が開放する直方体形状のケース体６内に一体に納められて構成されている。【００１１】  ７は第１ギヤモータであり、第１モータ９と複数段に減速ギヤが納められた第１ギヤケース１０とからなり、出力軸１１を上方（略垂直方向）に突出しており、ケース体６の底面上に固定配置されて設けられる。第１ギヤケース１０の上の前端の両側には第１リミットスイッチ１３のそれぞれが取り付けられている。【００１２】  １２は第２ギヤモータであり、第２モータ１４と複数段に減速ギヤが納められた第２ギヤケース１６とからなり、出力軸１８を略水平方向に突出しており、全体がベース体２０上に固定配置されている。出力軸１８端には出力ギヤ１９が装着されている。第２ギヤケース１６上には軸受け体２４が固定状態に取り付けられ、その軸受け体２４に回転可能に回転軸２６が装着され、その回転軸２６の両端それぞれに上面を支持面とする支持片（テレビ支持部）２８、２９のそれぞれが取り付け固定されている。上記出力軸１８側に位置する支持片２９は半円形で周囲にギヤを持ち、そのギヤ部分で出力ギヤ１９と歯合するように配置されている。また、その支持片２９の外面には第２リミットスイッチ３０それぞれの操作片３２が一体に設けられている。支持片２８、２９のそれぞれはケース体６の上方の開放部分から若干上方に突出して位置する。ベース体２０には第２リミットスイッチ３０それぞれの取り付け片３４が、さらに、第１リミットスイッチ１３それぞれの操作片３６がそれぞれ一体に設けられている。【００１３】  第２ギヤモータ１２はその底部にベース体２０を通して設けられる連結固定穴を備え、それに出力軸１１が下方から嵌入固定されて第１ギヤモータ７上に配置され、これにより第１モータ７の作動による出力軸１１の回転に伴って水平面位置において回転可能に配置されている。【００１４】  ４０はテレビ支持枠であり、支持片２８、２９それぞれの上面に固定されて取り付けられる。【００１５】  以下、上記テレビ可動支持装置５の動作説明を行う。リモートコントロールスイッチによる第１の操作指令により第１モータ９が作動され出力軸１１が回転することで第２ギヤモータ１２はその全体が水平面位置において回転し、これにより第２ギヤモータ１２に一体の支持片２８、２９上部に支持枠４０を介して取り付けられたテレビ３が水平面位置において回転され、その横向き角度が変えられる。その際、操作片３６が可動片１３ａそれぞれに接触することで第１リミットスイッチ１３それぞれが作動出力し、これにより回転が停止されてその回転角度が規制される。【００１６】  次に、リモートコントロールスイッチによる第２の操作指令により第２モータ１４が作動され出力軸１８が回転すると、それに一体の出力ギヤ１９に歯合する支持片２９が垂直面方向において回転し、その上部及び他方の支持片２８上部に支持枠４０を介して取り付けられたテレビ３も��体に回転されその上向き、下向きの角度が変えられる。その際、操作片３２が可動片３０ａそれぞれに接触することで第２リミットスイッチ３０それぞれが作動出力し、これにより回転が停止されてその回転角度が規制される。【００１７】  このようにして、テレビ３の上向き下向き、横向きの両角度調整が、ベッド上からテレビ３に手をかけることなく容易に行われる。
【図面の簡単な説明】
【図１】  この考案のテレビ可動支持装置の実施形態の使用状態斜視図
【図２】  この考案のテレビ可動支持装置の実施形態の分解斜視図
【符号の説明】
３    テレビ
５    テレビ可動支持装置
７    第１ギヤモータ
１１  出力軸
１６  第２ギヤモータ
１８  出力軸
２８  支持片（テレビ支持部）
２９  支持片（テレビ支持部）
【図１】
0003127110.tif 000003
【図２】
0003127110.tif 000004